(57)【要約】【課題】ヘッド部が本体に対して回動することにより本体の角度を変えたりすることなく、複雑な曲面の地肌に容易に刃部を密着させることが可能となり、熟練者でなくとも所望の仕上がりが得られるようにすること。【解決手段】駆動源が内蔵された本体１と、刃ブロック３を有するヘッド部２とを備えたヘアカッターＡにおいて、ヘッド部２の肌当て面４が常時地肌と接するようにヘッド部２を本体１に対して回動自在とするヘッド支軸６を設けた。【選択図】        図１
2004216067.tif 000002
【特許請求の範囲】
【請求項１】
駆動源が内蔵された本体と、刃ブロックを有するヘッド部とを備えたヘアカッターにおいて、ヘッド部の肌当て面が常時地肌と接するようにヘッド部を本体に対して回動自在とするヘッド支軸を備えていることを特徴とするヘアカッターのヘッドスイング機構。
【請求項２】
上記ヘッド支軸はヘッド部を刃の摺動方向と略平行な軸線回りに回動させることを特徴とする請求項１記載のヘアカッターのヘッドスイング機構。
【請求項３】
上記刃ブロックを回動自在範囲内の一定位置に付勢するバネ手段を備えていることを特徴とする請求項２記載のヘアカッターのヘッドスイング機構。
【請求項４】
上記一定位置は、本体の水平状態において刃ブロックの刃部が最も下方に傾いた下向き最大位置であることを特徴とする請求項３記載のヘアカッターのヘッドスイング機構。
【請求項５】
上記一定位置は、本体の水平状態において刃ブロックの刃部が最も上方に傾いた上向き最大位置であることを特徴とする請求項３記載のヘアカッターのヘッドスイング機構。
【請求項６】
上記一定位置は、請求項４の下向き最大位置と請求項５の上向き最大位置との略中間位置であることを特徴とする請求項３記載のヘアカッターのヘッドスイング機構。
【請求項７】
上記一定位置に付勢するバネ手段はコイルバネであることを特徴とする請求項３記載のヘアカッターのヘッドスイング機構。
【請求項８】
上記ヘッド支軸の回動中心をヘッド部における刃ブロックの刃部近傍に配置したことを特徴とする請求項２記載のヘアカッターのヘッドスイング機構。
【請求項９】
上記ヘッド支軸をヘッド部におけるヘッドシェル内部に配置したことを特徴とする請求項２記載のヘアカッターのヘッドスイング機構。
【請求項１０】
上記ヘッド支軸は、ヘッド部を刃の摺動方向と略直交する軸線回りに回動させることを特徴とする請求項１記載のヘアカッターのヘッドスイング機構。
【請求項１１】
上記ヘッド部に、ヘッド部と一体に回動動作を行なう刈り高さアタッチメントを装着したことを特徴とする請求項２記載のヘアカッターのヘッドスイング機構。
【請求項１２】
上記刈り高さアタッチメントをヘッド部の回動自在範囲内で本体と干渉しないように装着すると共に、ヘッド部に対する刈り高さアタッチメントの装着方向を変えることで刈り高さを可変可能としたことを特徴とする請求項１１記載のヘアカッターのヘッドスイング機構。
【請求項１３】
上記ヘッド部に、ヘッド部と一体に回動動作を行なうボリューム落としアタッチメントを装着したことを特徴とする請求項２記載のヘアカッターのヘッドスイング機構。
【請求項１４】
上記ヘッド部に、ヘッド部と一体に回動動作を行なうスキ刈り用アタッチメントを装着したことを特徴とする請求項２記載のヘアカッターのヘッドスイング機構。
【請求項１５】
上記ヘッド部の回動動作を一時阻止可能とするロック手段を設けたことを特徴とする請求項２記載のヘアカッターのヘッドスイング機構。
【発明の詳細な説明】
【０００１】
【発明の属する技術分野】
本発明は、毛髪及び体毛のカットを行うヘアカッターのヘッドスイング機構に関するものである。
【０００２】
【従来の技術】
ヘアカッターとして最も一般的なのは、所謂バリカンであるが、これは丸刈りする場合にはよいものの、調髪という点から熟練した技術を要するために家庭内での使用には無理がある。
【０００３】
そこで、従来、素人でも簡単に一定の毛髪の長さに整えたり、毛量を間引く（スキ刈り）のための補助具が知られている（例えば、特許文献１参照）。
【０００４】
【特許文献１】
特開平８−１８７３７４号公報
【０００５】
【発明が解決しようとする課題】
ところが、従来の補助具の使用にはある程度の熟練が必要であり、使用における制約を守らないと、毛の長さが不均一になり、狙いの長さにうまく揃わない場合がある。
【０００６】
本発明は、上記の従来例の問題点に鑑みて発明したものであって、その目的とするところは、ヘッド部が本体に対して回動することにより本体の角度を変えたりすることなく、複雑な曲面の地肌に容易に刃部を密着させることが可能となり、熟練者でなくとも所望の仕上がりが得られるヘアカッターのヘッドスイング機構を提供することにある。
【０００７】
【課題を解決するための手段】
上記課題を解決するために本発明にあっては、駆動源が内蔵された本体１と、刃ブロック３を有するヘッド部２とを備えたヘアカッターにおいて、ヘッド部２の肌当て面４が常時地肌と接するようにヘッド部２を本体１に対して回動自在とするヘッド支軸６を備えていることを特徴としており、このように構成することで、ヘッド部２が本体１に対して回動することにより本体１の角度を変えたりすることなく、複雑な曲面の地肌に容易に刃部３ａを密着させることが可能となる。
【０００８】
また上記ヘッド支軸６はヘッド部２を刃の摺動方向Ｂと略平行な軸線Ｍ回りに回動させるのが好ましく、この場合、手首の動きを自然な状態にしながら刃部３ａの地肌からの浮きを低減することが可能となる。
【０００９】
また上記刃ブロック３を回動自在範囲内の一定位置、例えば本体１の水平状態において刃ブロック３の刃部３ａが最も下方に傾いた下向き最大位置Ｐ１、或いは最も上方に傾いた上向き最大位置Ｐ３、或いは下向き最大位置Ｐ１と上向き最大位置Ｐ３との略中間位置Ｐ２のいずれかに付勢するバネ手段８を備えているのが好ましく、この場合、カット時にヘッド部２に対して外力が加わっても、特別な動作を必要とせず、ヘッド部２は設定した所定の位置に自動で復帰することが可能となる。
【００１０】
また上記一定位置に付勢するバネ手段８はコイルバネ８ａであるのが好ましく、この場合、コイルバネ８ａの反力を利用して一定位置での付勢を行なうことができるので、板状のバネを使用するよりも構造を簡略化できる。
【００１１】
また上記ヘッド支軸６の回動中心をヘッド部２における刃ブロック３の刃部３ａ近傍に配置するのが好ましく、この場合、ヘッド部２の回動中心を刃部３ａの摺動面（切断作用部）に近付けることができるので、ヘッド部２の回動動作が刃部３ａの動きに正確に追従するようになる。
【００１２】
また上記ヘッド支軸６をヘッド部２におけるヘッドシェル９内部に配置するのが好ましく、この場合、ヘッド部２の外側にヘッド支軸６が突出することがなく、ヘッド部２の外観の平滑化及びヘッド部２の小型化を図ることができる。
【００１３】
また上記ヘッド支軸６は、ヘッド部２を刃の摺動方向Ｂと略直交する軸線Ｎ回りに回動させるのが好ましく、この場合、手首の動きを自然な状態にしながら刃部３ａの地肌からの浮きを低減することが可能となり、特に耳まわりなどの斜面の部分のカットをする場合に最適となる。
【００１４】
また上記ヘッド部２に、ヘッド部２と一体に回動動作を行なう刈り高さアタッチメント１０を装着するのが好ましく、この場合、ヘッド部２と刈り高さアタッチメント１０との一体回動によってどの位置でも刈り高さアタッチメント１０を地肌に密着させて刈り高さを揃えることができるようになる。
【００１５】
また上記刈り高さアタッチメント１０をヘッド部２の回動自在範囲内で本体１と干渉しないように装着すると共に、ヘッド部２に対する刈り高さアタッチメント１０の装着方向を変えることで刈り高さを可変可能とするのが好ましく、この場合、刈り高さアタッチメント１０をヘッド部２の回動可能範囲とほぼ同範囲で回動させることができると共に、異なる刈り高さの切り変えが容易となる。
【００１６】
また上記ヘッド部２に、ヘッド部２と一体に回動動作を行なうボリューム落としアタッチメント１１を装着するのが好ましく、この場合、ヘッド部２とボリューム落としアタッチメント１１との一体回動によってどの位置でもボリューム落としアタッチメント１１を地肌に密着させて刃部３ａの摺動面（切断作用部）を地肌と略平行に保つようにすることができ、毛量の多い部分のボリューム落としによって奇麗な仕上がり（例えば段カット）を得ることができる。
【００１７】
また上記ヘッド部２に、ヘッド部２と一体に回動動作を行なうスキ刈り用アタッチメント１２を装着するのが好ましく、この場合、ヘッド部２とスキ刈り用アタッチメント１２との一体回動によってスキ刈り用アタッチメント１２を地肌に密着させることができ、本体１の中心線を地肌と略垂直に保った状態でスキ刈りを行なえるようになる。
【００１８】
また上記ヘッド部２の回動動作を一時阻止可能とするロック手段１３を設けるのが好ましく、この場合、例えば生え際、耳まわり等の細かい部分の仕上げ時にはヘッド部２を回転しないように固定することで、従来のバリカン刃と同様なカット動作が可能となる。
【００１９】
【発明の実施の形態】
以下、本発明を添付図面に示す実施形態に基づいて説明する。
【００２０】
本実施形態のヘアカッターＡは、図１〜図７に示すように、駆動源が内蔵される本体１と、刃ブロック３を有するヘッド部２と、ヘッド部２を刃の摺動方向Ｂと略平行な軸線Ｍ回りに回動させるためのヘッド支軸６とで構成されている。
【００２１】
ヘアカッターＡの本体１には、駆動源となる電動モータ或いは振動型のリニアアクチュエータ（図示せず）が内蔵されている。また本体１の動作を入り切りするスイッチハンドル（図示せず）等が設けられている。ここでは、駆動源の出力軸７とヘッドスイング用の左右一対の連結軸６ｂとが本体ハウジング１ａの上端面１ｃから上方に突出しており、これら出力軸７及び連結軸６ｂ以外は、本体ハウジング１ａ，１ｂ内に格納されている。
【００２２】
ヘッド部２のヘッドシェル９は、図３に示すように、左右一対の側板１７と底板１８と背板１９とからなる。底板１８は、本体ハウジング１ａ，１ｂの凹状に湾曲した上端面１ｃに沿って凸状に湾曲形成されている。また、ヘッドシェル９の底板１８中央には本体１側の出力軸７が挿入される中央開口部８０が設けられ、底板１８の両サイドに本体１側の一対の連結軸６ｂがそれぞれ挿入される両側開口部８１がそれぞれ設けられている。
【００２３】
刃ブロック３は、図２に示すように、肌当て面４を有する刃フレーム３ｂと、互いに摺接する櫛状の可動刃２１と固定刃２２とで構成されており、刃部３ａをヘッドシェル９の頂部よりも上方に突出させた状態で、ヘッドシェル９の前面に設けた複数の刃固定ボス２３（図３）に、刃フレーム３ｂのボス嵌合孔２４を嵌合し、圧入保持することで刃ブロック３をヘッドシェル９に固着してある。ここでは、刃フレーム３ｂの外側面が平滑な肌当て面４となり、肌当て面４の延長線上に刃部３ａが配置されている。
【００２４】
上記可動刃２１における固定刃２２とは反対側の面に、図２に示すように、一対の案内板２５，２５が取り付けられ、この案内板２５，２５間に設けたスリット２６に本体１側の出力軸７（図３）が挿入されることにより、出力軸７の駆動力が案内板２５を介して可動刃２１に伝達されて可動刃２１が往復運動をし、固定刃２２とのはさみ込みにより毛髪及び体毛を切断するようになっている。ここで、一対の案内板２５，２５は、図５（ａ）〜（ｃ）に示すように、ヘッド部２が前後方向Ｆに回動動作しても出力軸７との嵌合が外れないような形状、大きさに形成してあり、これにより、どの回動角度においても、出力軸７の駆動力が案内板２５を介して可動刃２１に伝達されるようになっている。
【００２５】
次にヘッドスイング機構を説明する。本例はヘッド部２を刃の摺動方向Ｂと略平行な軸線Ｍまわりにスイングさせるヘッド支軸６を備えている。ここにおいてヘッド支軸６は、ヘッドシェル９の両内壁に突設した左右一対の回動軸６ａと、本体ハウジング１ａ，１ｂの上端面１ｃから突出する左右一対の連結軸６ｂとからなる。各連結軸６ｂは図３、図４に示すように両側開口部８１からヘッドシェル９内に挿入され、連結軸６ｂの上部に設けた軸穴２８が回動軸６ａに回転自在に嵌め込まれている。ヘッド支軸６は、ヘッド部２の肌当て面４が常時地肌と接するようにヘッド部２を刃の摺動方向Ｂと略平行な軸線Ｍまわりに回動させるものである。ここで図６はヘッド部２の回動可能範囲の一例を示している。図６（ａ）は下向き最大位置Ｐ１（本体１の水平状態において刃ブロック３が最も下方に傾いた位置）、図６（ｂ）は中間位置Ｐ２、図６（ｃ）は上向き最大位置Ｐ３（本体１の水平状態において刃ブロック３が最も上方に傾いた位置）をそれぞれ示している。
【００２６】
しかして、上記構成のヘアカッターＡは、ヘッド部２の肌当て面４が常時地肌と接するようにヘッド部２が本体１に対して前後方向Ｆにスイングするので、本体１の角度や位置を変えなくても複雑な曲面の地肌に容易に刃部３ａを密着させることができるようになる。つまり、カット時に刃部３ａが地肌から離れないような最適な角度を維持することで、使用時の刃部３ａの地肌からの浮きを低減することができ、作業性が向上すると共に、熟練者でなくとも全体的に均一な滑らかな仕上がり（例えば奇麗な段カット）を達成することができる。
【００２７】
また本例では、ヘッド部２の回動中心を刃ブロック３の刃部３ａ近傍に配置しているので、ヘッド部２の回動中心が刃部３ａの可動刃２１と固定刃２２の摺動面（切断作用部）に近付き、ヘッド部２の回動動作が刃部３ａの動きに正確に追従することとなり、スムーズにカット動作を行なうことができるという利点がある。
【００２８】
さらに、回動軸６ａをヘッドシェル９の内側に突出させていると共に、連結軸６ｂをヘッドシェル９の内側で回動軸６ａに連結しているので、ヘッド支軸６がヘッド部２の外側に突出することがなくなり、ヘッド部２の外観の平滑化及びヘッド部２の小型化を図ることができる。そのうえヘッドシェル９は底板１８が凸状に湾曲形成され、本体ハウジング１ａ，１ｂの上端面１ｃは凹状に湾曲形成されているため、ヘッド部２と本体１との隙間を狭く保ちながらヘッド部２を回動させることができるという利点もある。
【００２９】
次に、刃ブロック３をその回動自在範囲内の一定位置に付勢するためのバネ手段８を設けた場合の一実施形態を説明する。図７に示す例では、バネ手段８としてコイルバネ８ａを用いている。図７（ａ）は刃ブロック３を図６（ａ）に示す下向き最大位置Ｐ１にバネ付勢するために、連結軸６ｂに設けた中央バネ受け部３０とヘッドシェル９の底板１８の後端側に立設した後方バネ受け部３１とをコイルバネ８ａにて押し広げている。図７（ｂ）は刃ブロック３を図６（ｂ）に示す中間位置Ｐ２にバネ付勢するために、中央バネ受け部３０と後方バネ受け部３１との間、及び、中央バネ受け部３０とヘッドシェル９の底板１８の前端側に立設した前方バネ受け部３２とをそれぞれコイルバネ８ａにて押し広げている。図７（ｃ）は刃ブロック３を図６（ｃ）に示す下向き最大位置Ｐ１にバネ付勢するために、中央バネ受け部３０と前方バネ受け部３２との間をコイルバネ８ａにて押し広げている。このように、ヘッドシェル９をコイルバネ８ａでバネ付勢することにより、図６に示す下向き最大位置Ｐ１、中間位置Ｐ２、上向き最大位置Ｐ３のいずれかに、ヘッド部２の角度を保持することができ、従って、カット時にヘッド部２に対して外力が加わっても特別な動作を必要とせず、設定した所定の位置に自動で復帰することが可能となる。また、一定位置への付勢をコイルバネ８ａの反力を利用しているので、板状のバネを使用するよりも構造を簡略化し、バネ手段８を省スペースで構成できるという利点もある。
【００３０】
図８〜図１６は他の実施形態であり、ヘッド部２が刃の摺動方向Ｂと略直交する軸線Ｎ回りに回動動作を行なう場合の一例を示している。なお、刃ブロック３をヘッドシェル９に取着する構成、及び、可動刃２１の案内板２５と出力軸７との嵌合が外れないようにする構成は、前記図１〜図７の実施形態と同様である。
本例のヘッドスイング機構は、ヘッド部２を刃の摺動方向Ｂと略直交する軸線Ｎまわりにスイングさせるヘッド支軸６を備えている。本例のヘッド支軸６は、ヘッドシェル９の底面に設けた環状の軸孔６ｃと、本体ハウジング１ａ，１ｂの上端面１ｃから突出する環状の嵌合軸６ｄとからなる。上記軸線Ｎはヘッド支軸６の中心軸と一致している。また本例のヘッドシェル９は、対称形状をした２つのシェル半体９ａ，９ｂで構成されている。各シェル半体９ａ，９ｂは図９、図１０に示す組立用フック８２によって互いに結合される。また、各シェル半体９ａ，９ｂの底面４０の中央には、それぞれ、半円孔６ｅが形成されており、各シェル半体９ａ，９ｂの結合によってヘッドシェル９の底板１８の中央には２つの半円孔６ｅ，６ｅからなる円形の軸孔６ｃが形成される。一方、本体ハウジング１ａ，１ｂの各上端面の中央側には、それぞれ、半円状ボス６ｆが形成されており、本体ハウジング１ａ，１ｂの結合によってその上面中央には２つの半円状ボス６ｆ，６ｆからなる環状の嵌合軸６ｄが形成される。この嵌合軸６ｄの外周溝と軸孔６ｃとが回動自在に嵌合することで、軸孔６ｃと嵌合軸６ｄとでヘッド支軸６が構成され、ヘッド部２はヘッド支軸６を中心として刃の摺動方向Ｂと直交する軸線Ｎ回りに回動可能となっている。
【００３１】
さらにヘッド部２のシェル半体９ａ，９ｂの底面４０の下面側には、図９、図１０、図１１に示すように、軸孔６ｃと同心円状の回動規制溝４１が凹設されており、本体ハウジング１ａ，１ｂの上面に突設した規制リブ４２が回動規制溝４１にスライド自在に嵌合することによって、ヘッド部２の回動範囲が一定範囲内に規制されている。ここでは図１２に示すように、回動規制溝４１内に規制リブ４２と回動規制溝４１の一端との間、規制リブ４２と回動規制溝４１の他端との間に、それぞれ、保持バネ４３が組み込まれており、ヘッド部２が図１３に示す右回りａに回動した場合、或いは図１５に示す左回りｂに回動した場合のいずれにおいても、保持バネ４３によって図１４に示す初期位置に自動復帰できるようにしている。また本例のヘッドシェル９の底面４０と本体ハウジング１ａ，１ｂの上面とが共に平坦状に形成されているため、ヘッド部２と本体１との隙間を狭く保ちながらヘッド部２を回動させることができる構造となっている。
【００３２】
しかして、ヘッド部２は刃の摺動方向Ｂと略直交する軸線Ｎ回りに回動自在としたので、手首の動きを自然な状態にしながら刃部３ａの地肌からの浮きを低減することが可能となる。特に図１６のように、耳まわりなどの斜面の部分のカットをする場合、ヘッド部２が軸線Ｎ回りに矢印ロで示す方向に回動するので、手首の動きを自然な状態にしながら刃部３ａを常時地肌５に密着させることが可能になり、作業性が向上する。
【００３３】
次に、刈り高さアタッチメント１０、ボリューム落としアタッチメント１１、スキ刈り用アタッチメント１２のいずれかを使用する場合の実施形態を順に説明する。
【００３４】
先ず、図１８〜図２１は、ヘッド部２と一体に回動動作を行なう刈り高さアタッチメント１０をヘッド部２に装着した場合の一例を示している。ヘッド部２は刃の摺動方向Ｂと略平行な軸線Ｍ（図１）回りに回動可能となっている。刈り高さアタッチメント１０は毛髪を一定長さに揃える補助具として使用されるものであり、図１８に示すように、複数の支持部材６０が刃の摺動方向Ｂに複数並設されていると共に、各支持部材７０は前端部１０ａ後端部１０ｂとで異なる高さａｍｍ，ｂｍｍ（例えば、ａ＞ｂ）を有している。ここにおいて、図１９（ａ）に示すように、刈り高さアタッチメント１０の両サイドに設けた嵌合軸５０をヘッド部２の両側面に仮保持するに際して、高さの高い方の前端部１０ａを刃ブロック３に対向配置することで図１７のように刈り高さを高くでき、逆に、図１９（ｂ）に示すように、高さの低い方の後端部１０ｂを刃ブロック３に対向配置することで刈り高さを低くできるようになっている。また本例においては、ヘッド部２の回動自在範囲内で刈り高さアタッチメント１０と本体１とが干渉しないように刈り高さアタッチメント１０をヘッド部２に装着している。具体的には、ヘッド部２の初期位置が図６（ａ）に示す下向き最大位置Ｐ１である場合において、この下向き最大位置Ｐ１にした状態で図２０（ａ）のように刈り高さアタッチメント１０を装着する。これにより、ヘッド部２が図２０（ａ）に示す初期位置から図２０（ｂ）のように回動しても、刈り高さアタッチメント１０の未使用側の端部（図２０の例では後端部１０ｂ）は本体１から離れる方向（矢印イの方向）に回動するため、刈り高さアタッチメント１０と本体１とが干渉することがなく、刈り高さアタッチメント１０をヘッド部２の回動可能範囲とほぼ同範囲で回動させることができるようになる。
【００３５】
しかして、図２１に示すように、刈り高さアタッチメント１０の支持部材６０の先端を地肌５に密着させた状態で、ヘアカッターＡを毛の流れに逆らって（ここでは、生え際から頭頂部に向かって）滑らせることにより一定の毛髪の長さに仕上げることができる。ちなみに従来のヘッド固定式では図２１の破線位置Ｓ１からのスタートになるため、手首の動きが窮屈な状態となり、刃部３ａを地肌５に密着させることが困難であるが、本ヘアカッターＡを用いた場合は、従来よりも高い位置（図２１の実線位置Ｓ２）からのスタートになるため、手首の動きが自然な状態で刈り高さアタッチメント１０の先端を地肌５に密着させることが可能になり、刈り高さアタッチメント１０による最適な使用状態を補助できるようになる。そのうえ、図１９（ａ）（ｂ）のように、刈り高さアタッチメント１０の装着方向を変えることにより、異なる高さに容易に設定可能となり、作業性がより向上するものである。
【００３６】
次に図２２、図２３は、ヘッド部２と一体に回動動作を行なうボリューム落としアタッチメント１１をヘッド部２に装着した場合の一例を示している。ヘッド部２は刃の摺動方向Ｂと略平行な軸線Ｍ（図１）回りに回動可能となっている。
本例のボリューム落としアタッチメント１１は、毛髪のボリューム落としを行なう補助具として使用されるものであり、図２２に示すように、先端が滑らかに凹曲した支持部材７０が刃の摺動方向Ｂに沿って複数並設されていると共に、その内側には毛髪を押さえる押さえ部６１を刃部３ａの刃面と略平行となるように設けてある。図２３のようにボリューム落としアタッチメント１１をヘッド部２に装着し、支持部材７０の先端を頭皮に当接させた状態で、ヘアカッターＡを頭の上方から下方に移動させて毛髪を刃部３ａで切断する。このとき、支持部材７０によって刃部３ａと頭皮との間の間隔が所定間隔となるように保持され、また、刃部３ａの切断作用部よりも後方に押さえ部６１が位置していることで、図２３の厚みＥで仕上げることが可能となる。さらにヘッド部２の初期位置（例えば図６（ｂ）に示す中間位置Ｐ２）でボリューム落としアタッチメント１１を取り付けることにより、どの角度でも刃部３ａの接触面を地肌５と略平行に保つようにすることができると共に、ボリューム落としアタッチメント１１の支持部材７０の先端を地肌５に密着させて動作させることができるので、所定の厚さ分Ｅに仕上げることができる。そのうえ、押さえ部６１で毛髪が押さえられながら押さえ部６１と刃部３ａの切断作用部との間隔の厚さ分Ｅだけ切断される。つまり、支持部材７０にてカット後の最小の厚みを保証し、押さえ部６１の存在にて一度にバッサリ切断されず（押さえ部６１がないと刃部３ａの切断作用部より外方に広がる毛髪が一度にバッサリ切断される）、毛髪を所定の厚さ分Ｅを残して切断できる。このように切断することにより、従来のように毛髪の先端だけを切断するのに比べて手早く行うことができ、また誰が切断して所定の状態に切断できて全体的に均一にカットでき、奇麗な仕上がり（例えば段カット）を得ることができるなど、ボリューム落としアタッチメント１１による最適な使用状態（刃部３ａの接触面を地肌５と略平行に保つ状態）を十分に補助できるようになり、作業性が向上するものである。
【００３７】
次に図２４、図２５は、ヘッド部２と一体に回動動作を行なうスキ刈り用アタッチメント１２をヘッド部２に装着した場合の一例を示している。ヘッド部２は刃の摺動方向Ｂと略平行な軸線Ｍ（図１）回りに回動可能となっている。本例のスキ刈り用アタッチメント１２は、毛髪のスキ刈りを行なう補助具として使用されるものであり、図２４に示すように、先端に刃部３ａの切断部の一部を覆うことによって、切断可能な隙間部７１と、切断不能なカバー部７２とが摺動方向Ｂに沿って複数形成されている。このスキ刈り用アタッチメント１２をヘッド部２に装着し、ヘアカッターＡを頭の上方から下方に移動させることにより、隙間部７１のみで毛髪をカットできる。つまり、一気に毛髪全体をカットするのではなく、少しずつカットすることが可能となり、毛量の多い部分のボリューム落としを行なうことが可能となる。さらにヘッド部２の初期位置でスキ刈り用アタッチメント１２を取り付けることで、本体１の中心線を地肌５と略垂直に保つことができ、毛髪が隙間部７１に確実に導入されるようになる。しかも従来のスタート位置（図２５の破線Ｓ３）よりも低い位置Ｓ５からのスタートになり、また従来のストップ位置（図２５の破線Ｓ４）よりも高い位置Ｓ６でのストップとなるため、手首の動きが自然な状態でアタッチメントの先端部を地肌に密着させることが可能になり、スキ刈り用アタッチメント１２による最適な使用状態（本体１の中心線を地肌と略垂直に保つ状態）を十分に補助できるようになり、作業性がより向上する。
【００３８】
図２６〜図２８は更に他の実施形態であり、ヘッド部２の回動動作を一時阻止可能とするためのロック手段１３を設けた場合の一例を示している。ヘッド部２は刃の摺動方向Ｂと略平行な軸線Ｍ（図１）回りに回動可能となっている。他の構成は図４と同様である。ちなみに、生え際の産毛カットや耳まわり等の細かい部分の仕上げ時にはヘッド部２が本体１に対して回動すると逆に安定せず、うまくカットできない場合がある。この場合を鑑みて、本例では、図２７に示すように、本体１にロックレバー１３ａとレバー保持部材１３ｂとを取り付け、ヘッドシェル９の底板１８の一部に穴部１３ｃ（図２８）を設け、図２６（ｂ）に示すように、ロックレバー１３ａを上に上げることにより、ヘッド部２の穴部１３ｃと嵌合し、ヘッド部２の回動が阻止され、生え際、耳まわり等の細かい部分の仕上げが従来のバリカン刃と同様にできるようになる。また回動可能な状態に戻す場合はロックレバー１３ａを引き下げるだけでよい。
【００３９】
【発明の効果】
上述のように請求項１記載の発明にあっては、駆動源が内蔵された本体と、刃ブロックを有するヘッド部とを備えたヘアカッターにおいて、ヘッド部の肌当て面が常時地肌と接するようにヘッド部を本体に対して回動自在とするヘッド支軸を備えているので、本体の角度や位置はそのままで、ヘッド部だけが回動することにより、複雑な曲面の地肌に容易に刃部を密着させることが可能となり、作業性が向上すると共に、熟練者でなくとも全体的に均一な滑らかな仕上がり（例えば奇麗な段カット）を達成することができる。
【００４０】
また請求項２記載の発明は、請求項１記載の効果に加えて、上記ヘッド支軸はヘッド部を刃の摺動方向と略平行な軸線回りに回動させるので、手首の動きを自然な状態にしながら刃部の地肌からの浮きを低減することが可能となり、作業性が向上する。
【００４１】
また請求項３記載の発明は、請求項２記載の効果に加えて、上記刃ブロックを回動自在範囲内の一定位置に付勢するバネ手段を備えているので、カット時にヘッド部に対して外力が加わっても、特別な動作を必要とせず、設定した所定の位置に自動で復帰することが可能となる。
【００４２】
また請求項４記載の発明は、請求項３の一定位置が、本体の水平状態において刃ブロックの刃部が最も下方に傾いた下向き最大位置であり、請求項５記載の発明は、請求項３の一定位置が、本体の水平状態において刃ブロックの刃部が最も上方に傾いた上向き最大位置であり、請求項６記載の発明は、請求項３の一定位置が下向き最大位置と上向き最大位置との略中間位置であるので、いずれの場合も、カット時にヘッド部に対して外力が加わっても特別な動作を必要とせず、設定した所定の位置（下向き最大位置、上向き最大位置或いは略中間位置）に自動で復帰することが可能となる。
【００４３】
また請求項７記載の発明は、請求項３記載の効果に加えて、上記一定位置に付勢するバネ手段はコイルバネであるので、コイルバネの反力を利用して一定位置での付勢を行なうことができるので、板状のバネを使用するよりも構造を簡略化でき、省スペースでバネ手段を構成可能となる。
【００４４】
また請求項８記載の発明は、請求項２記載の効果に加えて、上記ヘッド支軸の回動中心をヘッド部における刃ブロックの刃部近傍に配置したので、ヘッド部の回動中心が刃部の摺動面（切断作用部）に近付くことにより、ヘッド部の回動動作が刃部の動きに正確に追従しやすくなり、スムーズにカット動作を行なうことができる。
【００４５】
また請求項９記載の発明は、請求項２記載の効果に加えて、上記ヘッド支軸をヘッド部におけるヘッドシェル内部に配置したので、ヘッド部の外側にヘッド支軸が突出することがなく、ヘッド部の外観の平滑化及びヘッド部の小型化を図ることができる。
【００４６】
また請求項１０記載の発明は、請求項２記載の効果に加えて、上記ヘッド支軸は、ヘッド部を刃の摺動方向と略直交する軸線回りに回動させるので、ヘッド部は刃の摺動方向と略直交する軸線回りに回動自在となっているので、手首の動きを自然な状態にしながら刃部の地肌からの浮きを低減することが可能となり、特に耳まわりなどの斜面の部分のカットに最適となる。
【００４７】
また請求項１１記載の発明は、請求項２記載の効果に加えて、上記ヘッド部に、ヘッド部と一体に回動動作を行なう刈り高さアタッチメントを装着したので、ヘッド部と刈り高さアタッチメントとの一体回動によってどの位置でも刈り高さアタッチメントを地肌に密着させて刈り高さを揃えることができ、刈り高さアタッチメントによる最適な使用状態を補助できるものである。
【００４８】
また請求項１２記載の発明は、請求項１１記載の効果に加えて、上記刈り高さアタッチメントをヘッド部の回動自在範囲内で本体と干渉しないように装着すると共に、ヘッド部に対する刈り高さアタッチメントの装着方向を変えることで刈り高さを可変可能としたので、刈り高さアタッチメントをヘッド部の回動可能範囲とほぼ同範囲で回動させることができると共に、異なる刈り高さの切り変えが容易となる。
【００４９】
また請求項１３記載の発明は、請求項２記載の効果に加えて、上記ヘッド部に、ヘッド部と一体に回動動作を行なうボリューム落としアタッチメントを装着したので、ヘッド部とボリューム落としアタッチメントとの一体回動によってどの位置でもボリューム落としアタッチメントを地肌に密着させて刃部の摺動面（切断作用部）を地肌と略平行に保つようにすることができ、毛量の多い部分のボリューム落としによって奇麗な仕上がり（例えば段カット）が得られ、ボリューム落としアタッチメントによる最適な使用状態を補助できるものである。
【００５０】
また請求項１４記載の発明は、請求項２記載の効果に加えて、上記ヘッド部に、ヘッド部と一体に回動動作を行なうスキ刈り用アタッチメントを装着したので、ヘッド部とスキ刈り用アタッチメントとの一体回動によってスキ刈り用アタッチメントを地肌に密着させることができ、最適な使用状態（本体の中心線を地肌と略垂直に保つ状態）を補助できるものである。
【００５１】
また請求項１５記載の発明は、請求項２記載の効果に加えて、上記ヘッド部の回動動作を一時阻止可能とするロック手段を設けたので、例えば生え際、耳まわり等の細かい部分の仕上げ時にはヘッド部を回転しないように固定することで、従来のバリカン刃と同様なカット動作が可能となる。
【図面の簡単な説明】
【図１】本発明の実施形態の一例を示し、刃の摺動方向と略平行な軸線回りにヘッド部がスイングする場合の斜視図である。
【図２】同上の刃ブロックの斜視図である。
【図３】同上の本体とヘッドシェルの分解斜視図である。
【図４】同上のヘッドシェルを本体に取り付けた状態の斜視図である。
【図５】（ａ）は同上のヘッド部の下向き最大位置、（ｂ）は中間位置、（ｃ）は上向き最大位置をそれぞれ説明する一部破断斜視図である。
【図６】（ａ）は同上のヘッド部の下向き最大位置、（ｂ）は中間位置、（ｃ）は上向き最大位置をそれぞれ説明する側面図である。
【図７】（ａ）は同上のヘッド部をコイルバネによって下向き最大位置に付勢した場合の一部破断斜視図、（ｂ）は中間位置に付勢した場合の一部破断斜視図、（ｃ）は上向き最大位置に付勢した場合の一部破断斜視図である。
【図８】（ａ）は他の実施形態であり、刃の摺動方向と略平行な軸線回りにヘッド部がスイングする場合の分解斜視図、（ｂ）は組立斜視図である。
【図９】同上のシェル半体の斜視図である。
【図１０】同上のヘッド支軸を説明する一部破断斜視図である。
【図１１】同上のヘッド部の回動状態の説明図である。
【図１２】同上の規制リブと保持バネとの説明図である。
【図１３】（ａ）は同上のヘッド部が左回りに回動した状態の斜視図、（ｂ）は（ａ）における規制リブの位置の説明図である。
【図１４】（ａ）は同上のヘッド部が復帰した状態の斜視図、（ｂ）は（ａ）における規制リブの位置の説明図である。
【図１５】（ａ）は同上のヘッド部が右回りに回動した状態の斜視図、（ｂ）は（ａ）における規制リブの位置の説明図である。
【図１６】同上のヘアカッターの使用状態説明図である。
【図１７】同上のヘッド部に刈り高さアタッチメントを装着した場合の使用状態説明図である。
【図１８】同上の刈り高さアタッチメントの斜視図である。
【図１９】（ａ）は刈り高さアタッチメントの前端部を使用する場合の側面図、（ｂ）は後端部を使用する場合の側面図である。
【図２０】（ａ）はヘッド部の初期位置で刈り高さアタッチメントを装着した状態の側面図、（ｂ）は刈り高さアタッチメントがヘッド部と一体に回動した状態の側面図である。
【図２１】同上の刈り高さアタッチメントの使用状態説明図である。
【図２２】同上のヘッド部に装着されるボリューム落としアタッチメントの斜視図である。
【図２３】同上のボリューム落としアタッチメントをヘッド部に装着した場合の使用状態説明図である。
【図２４】同上のヘッド部に装着されるスキ刈り用アタッチメントの斜視図である。
【図２５】同上のスキ刈り用アタッチメントをヘッド部に装着した場合の使用状態説明図である。
【図２６】同上のロック機構を説明する一部破断斜視図である。
【図２７】同上のロック機構の分解斜視図である。
【図２８】同上のロック機構の動作説明図である。
【符号の説明】
１  本体
２  ヘッド部
３  刃ブロック
３ａ  刃部
４  肌当て面
６  ヘッド支軸
８  バネ手段
８ａ  コイルバネ
９  ヘッドシェル
１０  刈り高さアタッチメント
１１  ボリューム落としアタッチメント
１２  スキ刈り用アタッチメント
１３  ロック手段
Ａ  ヘアカッター
Ｂ  刃の摺動方向
Ｍ  刃の摺動方向と平行な軸線
Ｎ  刃の摺動方向と直交する軸線
【図１】
2004216067.tif 000003
【図２】
2004216067.tif 000004
【図３】
2004216067.tif 000005
【図４】
2004216067.tif 000006
【図５】
2004216067.tif 000007
【図６】
2004216067.tif 000008
【図７】
2004216067.tif 000009
【図８】
2004216067.tif 000010
【図９】
2004216067.tif 000011
【図１０】
2004216067.tif 000012
【図１１】
2004216067.tif 000013
【図１２】
2004216067.tif 000014
【図１３】
2004216067.tif 000015
【図１４】
2004216067.tif 000016
【図１５】
2004216067.tif 000017
【図１６】
2004216067.tif 000018
【図１７】
2004216067.tif 000019
【図１８】
2004216067.tif 000020
【図１９】
2004216067.tif 000021
【図２０】
2004216067.tif 000022
【図２１】
2004216067.tif 000023
【図２２】
2004216067.tif 000024
【図２３】
2004216067.tif 000025
【図２４】
2004216067.tif 000026
【図２５】
2004216067.tif 000027
【図２６】
2004216067.tif 000028
【図２７】
2004216067.tif 000029
【図２８】
2004216067.tif 000030